(57)【要約】    【課題】  登録者が悪意を持って行う認証を否定することが可能な個人認証装置を実現する。    【解決手段】  認証者の生理的状態情報を取得して平静状態にあるか否かを判定する生理的状態判定手段２と、認証者が登録者であると判定され且つ該認証者が平静状態にあると判定された場合に認証成功時動作を実行する認証成功時動作実行手段３と、認証者が登録者ではないと判定された場合および登録者であると判定された場合でも前記生理的状態判定手段により平静状態ではないと判定された場合に認証失敗時動作を実行する認証失敗時動作実行手段４を設ける。【選択図】  図１
2005137731.tif 000002
【特許請求の範囲】
【請求項１】
登録者の個人特有情報を予め記憶しておき、その後の認証時に認証情報取得デバイスで取り込んだ認証者の個人特有情報と予め記憶させておいた登録者の個人特有情報とを比較することにより、認証者が登録者か否かを判定する個人認証装置において、
認証者の生理的状態情報を取得して該認証者が平静状態にあるか否かを判定する生理的状態判定手段と、認証者が登録者であると判定され且つ該認証者が平静状態にあると判定された場合に認証成功時動作を実行する認証成功時動作実行手段と、認証者が登録者ではないと判定された場合および登録者であると判定された場合でも前記生理的状態判定手段により平静状態ではないと判定された場合に認証失敗時動作を実行する認証失敗時動作実行手段を設けたことを特徴とする個人認証装置。
【発明の詳細な説明】
【技術分野】
【０００１】
本発明は、個人認証装置に関する。
【背景技術】
【０００２】
個人認証装置としては、様々な種類のものが多数開発されて実用化されており、ユーザＩＤとパスワードによる認証から、眼球の虹彩を利用して個人認証を行う携帯情報端末、認証補助端末及び個人認証方法や、指・掌等の血管パターンを利用して個人認証を行う生体認証装置といった個人固有の生体情報を用いる高度な個人認証まで、様々な種類の認証技術が存在する。
【０００３】
【特許文献１】特開２００３−２４２１２５号公報
【０００４】
【特許文献２】特開２００３−２４２４９２号公報
【発明の開示】
【発明が解決しようとする課題】
【０００５】
しかしながら、前述した従来技術においては、予め記憶させた登録者の個人特有情報と、認証時に認証者から取得した個人特有情報とを比較して同一人物であるか否かを判定するものであり、登録者が悪意（不正行為を行う意図）を持って認証を行うことを想定していない。即ち、例えば、施設への入退出に個人認証装置を利用している場合には、悪意を持った第３者が施設内へ侵入するのを阻むことは可能であるが、個人認証装置に記憶された登録者が悪意を持って施設内に進入することを阻むことはできないという問題点が存在する。
【０００６】
本発明の目的は、上記問題点に鑑みなされたものであり、個人認証装置に予め記憶した登録者であっても、悪意を持って認証を行ったときには認証を否定することができるようにすることにある。具体的には、例えば、悪意を持って施設内へ進入するための認証を行った場合には、その認証を否定して進入を阻止することができるような個人認証装置を提供することにある。
【課題を解決するための手段】
【０００７】
本発明は、認証者が登録者であるか否か、且つ平静状態であるか否かを参照して判定することにあり、認証者が登録者であって、且つ平静状態であることを条件にして認証するものである。認証者が登録者であるか否かの判定は従来から提案されている各種の個人認証装置（方法）によって行い、認証者が平静状態であるがどうかの判定は、従来から提案されている嘘発見器（嘘発見方法）と同様に認証者の生理的状態を検出することによって行う。
【０００８】
具体的には、登録者の個人特有情報を予め記憶させておき、その後の認証時に認証情報取得デバイスで取り込んだ認証者の個人特有情報と、記憶されている登録者の個人特有情報とを比較することにより、認証者が登録者か否かを判定する個人認証装置において、
認証者の生理的状態情報を取得して該認証者が平静状態にあるか否かを判定する生理的状態判定手段と、認証者が登録者であると判定され、かつ該認証者が平静状態にあると判定された場合に認証成功時動作を実行する認証成功時動作実行手段と、認証者が登録者ではないと判定された場合および登録者であると判定された場合でも前記生理的状態判定手段により平静状態ではないと判定された場合に認証失敗時動作を実行する認証失敗時動作実行手段を設ける。
【発明の効果】
【０００９】
本発明の個人認証装置は、登録者であっても、悪意を持って認証を行った場合には、認証失敗によって施設内に進入するような行為を阻止することが可能となる。従って、例えば、企業の機密データを管理しているデータセンタへの入室認証に本発明の個人認証装置を適用した場合には、登録者が通常業務のためにデータセンタに入室することは可能であっても、機密データを不正に持ち出すために入室しようとする場合には生理的状態に反応が出ることから、この生理的状態の変化を検出したときには認証を否定（入室を拒否）して機密データの不正持ち出しを阻止することができるという効果が得られる。
【発明を実施するための最良の形態】
【００１０】
行為有資格者として予め認定された登録者の個人特有情報を予め記憶しておき、その後の認証時に認証情報取得デバイスで取り込んだ認証者の個人特有情報と予め記憶させておいた登録者の個人特有情報とを比較することにより、認証者が登録者か否かを判定する個人認証装置において、認証者の生理的状態情報を取得して該認証者が平静状態にあるか否かを判定する生理的状態判定手段と、認証者が登録者であると判定され且つ該認証者が平静状態にあると判定された場合に認証成功時動作を実行する認証成功時動作実行手段と、認証者が登録者ではないと判定された場合および登録者であると判定された場合でも前記生理的状態判定手段により平静状態ではないと判定された場合に認証失敗時動作を実行する認証失敗時動作実行手段を設ける。
【００１１】
前記認証成功時動作実行手段は、認証成功ランプの点灯して認証成功であることを認証者に報知すると共にドアを開錠して入室を許容し、その後、認証成功ランプの消灯するように構成する。
【００１２】
また、前記認証失敗時動作実行手段は、認証失敗ランプを点灯すると共に監視カメラを起動して認証を試みた認証者の行動を撮影して記録（保存）し、その後、認証失敗ランプを消灯する。
【実施例１】
【００１３】
本発明の実施例１について、図面を参照して説明する。
【００１４】
図１は、本発明の実施例１における個人認証装置の機能ブロック図である。
【００１５】
この実施例１における個人認証装置は、個人認証手段１と、生理的状態判定手段２と、認証成功時動作実行手段３と、認証失敗時動作実行手段４と、認証情報取得デバイス５と、生理的状態情報取得デバイス６と、記憶手段７を備える。
【００１６】
前記認証情報取得デバイス５は、個人認証手段１が採用する認証技術（判定技術）に応じたものを使用するものであり、音声認識による認証技術であれば認証者の音声情報を取得するためのマイクロフォンを使用し、虹彩認識による認証技術であれば虹彩情報を取得するための電子カメラを使用するが、これらの採用する認証技術と認証デバイスは、公知のものを使用して実施することができるものであるから詳細な図示説明は省略する。
【００１７】
前記生理的状態情報取得デバイス６は、認証者が平静状態であるかどうかを判定するために生理的状態判定手段２が着目する生理的状態に応じたものを使用するものであり、例えば皮膚電気反射状態に着目するのであれば、皮膚電気反射を検出するデバイスを使用し、脈波状態に着目するのであれば、脈波を検出するデバイスを使用するが、これらの生理的状態の変化を検出するデバイス（検出手段）は、公知のものを使用して実施することができるものであるから詳細な図示説明は省略する。
【００１８】
前記記憶手段７は、前記個人認証手段１が認証に使用する登録者（行為有資格者として予め認定された者）の個人特有情報と、生理的状態判定手段２が平静状態か否かを判定するために使用する登録者の平静時の生理的状態情報（生理的状態判定情報）と、認証成功時動作実行手段３が認証成功時に行う動作の制御情報と、認証失敗時動作実行手段４が認証失敗時に行う動作の制御情報を予め記憶させておく記憶装置である。平静時の生理的状態情報（生理的状態判定情報）は、各人に共通に使用することができるものであるときには、登録者毎に記憶させる必要がない。
【００１９】
前記個人認証手段１は、認証情報取得デバイス５により取得した認証者の個人特有情報と、記憶手段７に予め記憶させた登録者の個人特有情報の比較を行い、認証成功（認証者が登録者），認証失敗（認証者が未登録者）の判定を行う。そして、認証成功の場合には、その旨を生理的状態判定手段２に通知し、認証失敗の場合には、その旨を認証失敗時動作実行手段４に通知する。
【００２０】
生理的状態判定手段２は、生理的状態情報取得デバイス６により取得した認証者の生理的状態情報と、記憶手段７に記憶された平静時の生理的状態判定情報の比較を行い、平静状態か否かの判定を行う。平静状態か否かの判定方法は、対象者が真実を話しているか否かを判定する嘘発見器の判定方法を採用することができる。この嘘発見器の判定方法は、嘘をついていない平静状態と、嘘をついたことによる緊張・ストレスを感じている緊張状態とで生理的状態が変化することから、この生理的状態変化を検出することによって嘘をついているか否かを判定するものであり、登録者が悪意を持って進入しようとするときにも同様な緊張・ストレスが発生することから、同様の生理的状態の変化が見られる。この生理的状態変化の検出に関しては、例えば、特開平７−２０４１６９号公報に開示された「生体情報検出装置とその応用機器」や特開２００１−１３７２１８号公報に開示された「非侵襲生体反応計測装置及び方法」といった技術を採用することができる。そして、個人認証手段１から認証成功の通知を受け、且つ、認証者が平静状態にあると判定したときには、その旨を認証成功時動作実行手段３に通知し、認証者が平静状態にないと判定したときには、その旨を認証失敗時動作実行手段４に通知する。
【００２１】
図２は、認証成功時動作実行手段３が実行する動作の制御情報の一例である。３０は認証成功時動作実行制御情報テーブル、３１は認証成功時動作実行順序情報、３２は認証成功時動作実行内容である。この実施例１を出入口のドアが施錠された室内への進入の可否を判定する個人認証装置として構成するときには、認証成功時動作実行順序情報３１が「１」の認証成功時動作実行内容３２は、認証成功ランプの点灯であり、認証成功時動作実行順序情報３１が「２」の認証成功時動作実行内容３２は、ドアの開錠であり、認証成功時動作実行順序情報３１が「３」の認証成功時動作実行内容３２は、認証成功ランプの消灯である。
【００２２】
認証成功時動作実行手段３は、個人認証手段１が認証成功し、且つ生理的状態判定手段２が平静状態と判定した場合に、認証成功時動作制御情報テーブル３０を読み込んで認証成功時動作実行順序の昇順に、逐次、認証成功時動作実行内容３２を取得して実行する。
【００２３】
図３は、認証失敗時動作実行手段４が実行する動作の制御情報の一例である。４０は認証失敗時動作制御情報テーブル、４１は認証失敗時実行順序であり、４２が認証失敗時動作実行内容である。この実施例１を出入口のドアが施錠された室内への進入の可否を判定する個人認証装置として構成するときには、認証失敗時実行順序４１が「１」の認証失敗時動作実行内容４２は、認証失敗ランプの点灯であり、認証失敗時実行順序４１が「２」の認証失敗時動作実行内容４２は、認証を試みた認証者の行動を撮影して記録（保存）する監視カメラの起動であり、認証失敗時実行順序４１が「３」の認証失敗時動作実行内容４２は、認証失敗ランプの消灯である。
【００２４】
認証失敗時動作実行手段４は、個人認証手段１が認証失敗と判定するか、または生理的状態判定手段２が平静状態でないと判定した場合に、認証失敗時動作制御情報テーブル４０を読み込んで認証失敗時動作実行順序の昇順に、逐次、認証失敗時動作実行内容４２を取得して実行する。
【００２５】
このような個人認証装置における個人認証手段１と生理的状態判定手段２と認証成功時動作実行手段３と認証失敗時動作実行手段４は、実際には、マイクロプロセッサと記憶手段７に記憶させた制御処理プログラムによって実現する機能手段によって構成する。
【００２６】
図４は、実施例１に係る個人認証装置における個人認証手段１と生理的状態判定手段２と認証成功時動作実行手段３と認証失敗時動作実行手段４をマイクロプロセッサと記憶手段７に記憶させた制御処理プログラムによって実現する機能手段として構成したときにマイクロプロセッサが実行する制御処理手順のフローチャートである。
【００２７】
ステップＳ１０
認証者から認証を受ける指示があると、個人認証手段１を機能させ、認証情報取得デバイス５から認証者の個人特有情報を取得する。
【００２８】
ステップＳ１１
そして、記憶手段７から登録者の個人特有情報を取り出して認証者の個人特有情報と比較し、認証者と登録者の個人特有情報の一致／不一致を判定して処理を分岐する。
【００２９】
ステップＳ１２
ステップＳ１１において、両者の個人特有情報が一致していると判定した場合（ステップＳ１１においてＹ）には、生理的状態判定手段２を機能させて生理的状態情報取得デバイス６から認証者の生理的状態情報を取得する。
【００３０】
ステップＳ１３
記憶装置７から登録者（認証者）の平静時の生理的状態判定情報を取り出し、ステップＳ１２において取得した認証者の生理的状態情報を生理的状態判定情報と比較して平静状態か否かを判定して処理を分岐する。
【００３１】
ステップＳ１４
ステップＳ１３において、認証者が平静状態であると判定した場合（ステップＳ１３においてＹ）には、認証成功時動作実行手段３を機能させ、記憶手段７の認証成功時動作実行制御情報テーブル３０に記憶させた認証成功時に行う動作の制御情報を取り出して実行する。
【００３２】
ステップＳ１５
ステップＳ１１において個人認証手段１が認証者と登録者の個人特有情報が不一致であると判定した場合（ステップＳ１１においてＮ）と、ステップＳ１３において生理的状態判定手段２が認証者は平静でないと判定した場合（ステップＳ１３においてＮ）は、認証失敗時動作実行手段４を機能させ、記憶手段７の認証失敗時動作実行制御情報テーブル４０に記憶させた認証失敗時に行う動作の制御情報を取り出して実行する。
【図面の簡単な説明】
【００３３】
【図１】本発明の実施例１に係る個人認証装置の機能ブロック図である。
【図２】本発明の実施例１に係る個人認証装置が認証成功時に実行する動作の制御情報テーブルである。
【図３】本発明の実施例１に係る個人認証装置が認証失敗時に実行する動作の制御情報テーブルである。
【図４】本発明の実施例１に係る個人認証装置をマイクロプロセッサと制御処理プログラムによって実現する機能手段によって構成したときにマスク露プロセッサが実行する制御処理手順のフローチャートである。
【符号の説明】
【００３４】
１…個人認証手段、２…生理的状態判定手段、３…認証成功時動作実行手段、４…認証失敗時動作実行手段、５…認証情報取得デバイス、６…生理的状態情報取得デバイス、７…記憶手段。
【図１】
2005137731.tif 000003
【図２】
2005137731.tif 000004
【図３】
2005137731.tif 000005
【図４】
2005137731.tif 000006